(57)【要約】  【課題】無線センサ送信機を搭載して情報を検出し、本体に送信して制御する機器において、無線センサ送信機の動作回数が多いほどその電池消耗は早く、特に冷蔵庫などメンテナンス困難な機器に使用する場合には迅速に対応できないという課題がある。  【解決手段】冷蔵庫の扉が開放状態の時には、扉状態検出手段３１、３２、３３から電源遮断手段３６を制御して、電源部９から電力供給を遮断して、無線センサ２８、２９、３０の動作を停止させてトータルでの動作時間を抑え、無線センサ２８〜３０に要するメンテナンスの手間を省き、冷蔵庫の付加価値を高めるものである。【選択図】図２
2007139355.tif 000002
【特許請求の範囲】
【請求項１】
扉によって開閉される貯蔵室を備えた貯蔵装置本体と、前記貯蔵室内の環境状態を検出し、該検出結果を情報化して無線通信媒体にて出力送信する無線センサを備え、前記無線センサにおける検出動作および出力動作の駆動源を電源とし、さらに前記扉の開放時に前記無線センサにおける検出動作および出力動作の少なくとも一方の動作を停止する停止手段を設けた物品貯蔵装置。
【請求項２】
前記停止手段を、前記扉の開放を検出する開閉検出手段と、前記開閉検出手段の扉開放信号により前記電源の供給を遮断・停止する電源遮断手段を備えた構成とし、前記電源遮断手段により前記無線センサの前記動作を停止する請求項１に記載の物品貯蔵装置。
【請求項３】
前記開閉検出手段を、磁力、光等の無線通信媒体を発生する信号発生手段と、前記信号発生手段の無線通信媒体を受信する受信手段を備えた構成とし、前記受信手段の出力により前記電源遮断手段を動作させる請求項２に記載の物品貯蔵装置。
【請求項４】
前記受信手段および電源遮断手段を、前記無線センサに設けた請求項３に記載の物品貯蔵装置。
【請求項５】
前記受信手段および電源遮断手段を、磁力により反応する機械式スイッチ、あるいは磁力により反応する電子式スイッチとした請求項３または請求項４に記載の物品貯蔵装置。
【請求項６】
前記受信手段および電源遮断手段を、光により反応する電子式スイッチとした請求項３または請求項４に記載の物品貯蔵装置。
【請求項７】
前記貯蔵装置本体および／または前記扉に、前記貯蔵室内の環境を創出する環境創出手段と、前記無線センサからの送信情報を入力し、該情報を読み取って制御内容を判別する情報読取手段と、前記情報読取手段からの出力を入力し、前記環境創出手段を前記制御内容に動作させる制御手段を備え、さらに前記電源を前記無線センサに内蔵した請求項１から６のいずれか一項に記載の物品貯蔵装置。
【発明の詳細な説明】
【技術分野】
【０００１】
本発明は、貯蔵室内の環境情報をもとに環境創出装置（熱源装置、送風装置等）の運転を制御する冷蔵庫等の物品貯蔵装置において、前記環境情報を検出し、該検出した情報の制御機器側への送信を無線媒体により行なう無線センサを備えた物品貯蔵装置に関するものである。
【背景技術】
【０００２】
近年、温度や湿度等を計測するセンサと無線送信部を一体化した無線センサが提案されている。
【０００３】
従来の無線センサを利用した機器としては、複数の場所にそれぞれ無線センサを配置して得られる計測値（検出値）を集中管理しているものがある（例えば、特許文献１参照）。
【０００４】
図６は特許文献１に記載された従来の無線センサを用いた機器の制御システムのブロック図を示すものである。
【０００５】
図６に示すように、無線センサ送信機１０、１１、１２は、それぞれ温度センサ１と湿度センサ２によってセンサ部３を構成し、必要な情報を切替え器４で選択してＡ／Ｄ変換器５に入力する。そしてＡ／Ｄ変換器５からの信号を取込んだ第一のＣＰＵ６は、無線送信部７へその情報信号を出力し、送信アンテナ８から本体機器１３へ送信を行なう構成となっている。
【０００６】
尚、各無線センサ送信機１０、１１、１２を構成するセンサ部３、切替え器４、Ａ／Ｄ変換器５、第一のＣＰＵ６、無線送信部７等の各構成要素への電力供給は電池等の電源部９から行なわれるものである。
【０００７】
無線センサ送信機１０、１１、１２と対をなす本体機器１３には、受信アンテナ１４が設置されており、無線センサ送信機１０、１１、１２からの情報電波を受信し、無線受信部１５を経由して第二のＣＰＵ１６へ情報信号が入力される。第二のＣＰＵ１６からは、負荷制御装置１７を経由して第一の負荷１８、第二の負荷１９、第三の負荷２０へそれぞれ信号を出力し、本体機器１３を前記情報内容に制御する。
【０００８】
以上のように構成された無線センサを利用した機器について、以下その動作を説明する。ここでは説明の便宜上無線センサ送信機１０の送信制御について説明するが、他の無線センサ送信機１１、１２についても同様に通信制御が行なわれるものである。
【０００９】
まず、センサ部３の温度センサ１と湿度センサ２で検出された情報（温度や湿度）を切替え器４で選択し、必要な情報をアナログ信号としてＡ／Ｄ変換器５に入力する。
【００１０】
次に、Ａ／Ｄ変換器５では、入力した信号をアナログからデジタルに変換し、第一のＣＰＵ６に情報を出力する。第一のＣＰＵ６では、上述の情報データに無線センサ送信機１０のＩＤコード等を付与して送信データ化し、その送信データを無線送信部７、送信アンテナ８を経由して所定周波数の電波として本体機器１３に送信する。
【００１１】
次に、本体機器１３側では、各無線センサ送信機１０、１１、１２から送信された情報データを受信アンテナ１４で検出し、無線受信部１５で電波信号をデジタル信号に変換し、第二のＣＰＵ１６に出力する。第二のＣＰＵ１６では、無線センサ送信機１０、１１、１２の設置されている場所と、その情報データから機器としての最適な制御内容を判断し、負荷制御装置１７を制御して各負荷１８、１９、２０をそれぞれ動作させる。
【特許文献１】特公平８−６９５５号公報
【発明の開示】
【発明が解決しようとする課題】
【００１２】
しかしながら、上記従来の構成では、無線センサ送信機１０は予め第一のＣＰＵ６で決められた一定の時間周期によってセンサ部３から情報を検出し、本体機器１３へ定期的にデータを送信することから、電源部９は常時各構成要素に電力を供給する必要がある。
【００１３】
一般に、無線センサ送信機１０の電源部９としては、ワイヤレスの利便性から電源コード等の引き込みがなく、バッテリーあるいは乾電池、さらに小型機器であればボタン電池等を使用する場合が多い。
【００１４】
したがって、従来は、情報の検出回数や無線送信部７の動作回数が多いほどその電池消耗は早くなり、電源部９（電池）の長寿命化を図ることが課題となっていた。
【００１５】
なお、ここでは説明の便宜上無線センサ送信機１０について説明したが、他の無線センサ送信機１１、１２についても同じ課題を有しているものである。
【００１６】
また、かかる無線送信技術を、例えば特に冷蔵庫等のようにメンテナンスが困難な貯蔵・収納機器に適用する場合には、電源寿命が短いと頻繁なメンテナンスを要し、利便性が損なわれるだけでなく、また電源寿命を全うした無線センサ送信機１０の不動作状態で機器を運転してしまうことも懸念され、機器の信頼性にも影響する。さらに、冷蔵庫等の如く物品の貯蔵・収納機器においては、扉の開閉操作が伴い、特に、扉の開放時での無線媒体による通信は、周囲の電気機器等にも電磁波等による影響を与えることがあり、何らかの対策を講じる必要がある等の課題が残るものである。
【００１７】
本発明は、上記従来の課題を解決するもので、扉の開閉の状況に応じて無線センサ送信機（以下、無線センサと称す）の動作を制御し、前記電源（電池）の低消費電力化を図り、また無線媒体通信に起因する周囲への影響を排除して冷蔵庫等の物品貯蔵装置への適用を可能とすることを目的とするものである。
【課題を解決するための手段】
【００１８】
上記従来の課題を解決するために、本発明は、貯蔵室の扉が開放状態では無線センサの動作を停止させるようにしたものである。
【００１９】
これによって、貯蔵室内環境条件が不安定で、貯蔵室内情報にあまり意味を持たない、扉開放状態での無線センサの動作に伴う電源（電池）の消費を極力抑制することができ、無線センサの電源寿命の長期化を図ることができる。
【００２０】
さらに、本発明は、前記扉の開閉検出手段を構成する受信手段を、前記無線手段に設けたもので、かかる構成により、信号の送受信のためのハーネス配線が削減できるものである。
【発明の効果】
【００２１】
本発明の物品貯蔵装置は、貯蔵室内の環境検出に無線センサを用いた場合の無線センサによる電力消費が削減でき、前記無線センサ用電源の長寿命化が図れ、無線センサ制御の信頼性を高めることが可能となる。また、特に貯蔵室扉開放時における無線センサの動作を停止することから、周囲の機器へ悪影響を与えることも抑制できる。
【００２２】
さらに、無線媒体による通信であるため、物品貯蔵装置本体に引廻すハーネス配線が削減でき、省線化が可能となり、組立て工数の削減が図れるものである。
【発明を実施するための最良の形態】
【００２３】
請求項１に記載の発明は、扉によって開閉される貯蔵室を備えた貯蔵装置本体と、前記貯蔵室内の環境状態を検出し、該検出結果を情報化して無線通信媒体にて出力送信する無線センサを備え、前記無線センサにおける検出動作および出力動作の駆動源を電源とし、さらに前記扉の開放時に前記無線センサにおける検出動作および出力動作の少なくとも一方の動作を停止する停止手段を設けたものである。
【００２４】
かかる構成とすることにより、貯蔵室内環境条件の変化が激しい扉開放状態での無線センサの動作を抑制するため、長期使用における無線センサのトータルでの動作時間が短くなり、その結果、無線センサの電力消費が抑制でき、無線センサの電源部の長寿命化を図り、信頼性を高めることができる。特に、前記無線センサの出力動作を停止することにより、周辺機器への影響も防止できる。
【００２５】
さらに、無線通信媒体による通信であるため、物品貯蔵装置本体に引廻すハーネス配線が削減でき、省線化が可能となり、組立て工数の削減が図れるものである。
【００２６】
請求項２に記載の発明は、前記停止手段を、前記扉の開放を検出する開閉検出手段と、前記開閉検出手段の扉開放信号により前記電源の供給を遮断・停止する電源遮断手段を備えた構成とし、前記電源遮断手段により前記無線センサの前記動作を停止するものである。
【００２７】
かかる構成とすることにより、前記貯蔵室扉の開放時における前記無線センサの電力消費が停止されるため、前記電源のさらなる長寿命化が図れる。さらに、無線センサの動作は、前記貯蔵室扉の閉扉時に行なわれるため、無線通信媒体の外部への漏洩も解消でき、前記外部への漏洩に伴う環境条件検出精度の低下も解消できることから信頼性が向上するものである。
【００２８】
請求項３に記載の発明は、前記開閉検出手段を、磁力、光等の無線通信媒体を発生する信号発生手段と、前記信号発生手段の無線通信媒体を受信する受信手段を備えた構成とし、前記受信手段の出力により前記電源遮断手段を動作させるものである。
【００２９】
かかる構成とすることにより、前記貯蔵室扉の開閉を無線通信媒体で検出でき、前記貯蔵室扉と無線センサを非接触の位置関係に設定できる。したがって、開閉検出のための機構が不要となり、前記物品貯蔵装置本体に引廻すハーネス配線がさらに削減できるものである。また、前記電源遮断手段の動作で無線センサの作動・停止を制御するため、制御構成も簡素化できるものである。
【００３０】
請求項４に記載の発明は、前記受信手段および電源遮断手段を、前記無線センサに設けたもので、省電力化の無線センサがコンパクトなモジュールに構成でき、貯蔵室内での取付けスペースを抑えることができる。
【００３１】
請求項５に記載の発明は、前記受信手段および電源遮断手段を、磁力により反応する機械式スイッチ、あるいは磁力により反応する電子式スイッチとしたものである。
【００３２】
かかる構成とすることにより、機械式スイッチであれば市販品の適用が可能となり、無線センサの電源遮断回路が簡素化できる。また電子式スイッチであれば接点寿命を考慮することなく長寿命の電源遮断作用が保証される。
【００３３】
請求項６に記載の発明は、前記受信手段および電源遮断手段を、光により反応する電子式スイッチとしたもので、物品貯蔵装置を設置した室内照明、あるいは前記貯蔵扉の開放に連動する庫内照明を無線通信媒体とすることができ、別途無線センサに発光手段を設ける必要がなく、無線センサの構成の簡略化が可能となる。
【００３４】
請求項７に記載の発明は、前記貯蔵装置本体および／または前記扉に、前記貯蔵室内の環境を創出する環境創出手段と、前記無線センサからの送信情報を入力し、該情報を読み取って制御内容を判別する情報読取手段と、前記情報読取手段からの出力を入力し、前記環境創出手段を前記制御内容に動作させる制御手段を備え、さらに前記電源を前記無線センサに内蔵したものである。
【００３５】
かかる構成であれば、前記環境創出手段を駆動することにより、前記無線センサによって前記貯蔵室を任意の環境条件に制御でき、利便性が向上するものである。
【００３６】
以下、本発明の実施の形態について、図面を参照しながら説明するが、従来例で説明した構成要件と同一もしくは同様の機能を有する構成要件については、同一符号を付してその詳細な説明を省略する。尚、この実施の形態によってこの発明が限定されるものではない。
【００３７】
（実施の形態１）
本実施の形態１においては、物品貯蔵装置を複数の貯蔵室を備える冷蔵庫を例にして説明する。
【００３８】
図１は、本発明の実施の形態１における無線センサを具備した冷蔵庫の断面図である。図２は、同実施の形態１における無線センサの制御構成ブロック図である。図３は、同実施の形態１における冷蔵庫の概略制御構成ブロック図である。図４（ａ）は、同実施の形態１における冷蔵庫の閉扉時における無線センサの給電状態を示す要部構成図、図４（ｂ）は、同実施の形態１における冷蔵庫の開扉時における無線センサの給電停止状態を示す要部構成図である。
【００３９】
図１において、冷蔵庫は、断熱筐体からなる冷蔵庫本体２１と、冷蔵庫本体２１内に設けられ、それぞれ貯蔵室として機能する第一の冷蔵室２２と第二の冷蔵室２３と冷凍室２４と、第一の冷蔵室２２の前面開口を開閉する第一の冷蔵室扉２５と、第二の冷蔵室２３の前面開口を開閉する第二の冷蔵室扉２６と、冷凍室２４の前面開口を開閉する冷凍室扉２７を主体に構成されている。第一、第二の各冷蔵室２２、２３および冷凍室２４は、各扉２４、２５、２６を閉めることで各貯蔵室内の冷気が貯蔵室の外気と触れることがないように密閉される。尚、第一、第二の各冷蔵室２２、２３および冷凍室２４内の冷却環境を創出する環境創出手段は、周知の如く圧縮機、凝縮器、キャピラリチューブ、蒸発器（いずれも図示せず）等からなり、冷蔵庫本体２１に設けられた冷凍サイクル３８（図３）と、同様に冷蔵庫本体２１に設けられ、冷凍サイクル３８によって創出された冷気を各冷蔵室２２、２３および冷凍室２４へ供給する冷気循環手段３９（図３）を主体に構成されている。
【００４０】
上記冷蔵庫の制御関係を除く構成は、従来周知の構成でよいため、詳細な説明は省略する。
【００４１】
第一の冷蔵室２２の中には第一の無線センサ２８が、第二の冷蔵室２３の中には第二の無線センサ２９が、冷凍室２４の中には第三の無線センサ３０が、それぞれ任意の位置（例えば、扉の開閉検知が可能で、かつ物品の出し入れ時に邪魔にならない位置）に適宜手段にて固定されている。なお、各無線センサ２８、２９、３０の固定に際しては、各室内面と面一にした埋設構造としてもよい。また、各無線センサ２８、２９、３０の送信信号を受信して、情報を読み取り、制御内容を判別する情報読取装置３４は、第一の冷蔵室２２における内部の任意の位置に設置されている。さらに、情報読取装置３４の情報を基に冷凍サイクル３８および冷気循環手段３９を前記制御内容に動作させる制御手段３７は、冷蔵庫本体２１の適宜位置に設けられるが、本実施の形態１では、冷蔵庫本体２１の背面部に設けている。
【００４２】
尚、実施例では情報読取装置３４を第一の冷蔵室２２としたが、各無線センサ２８、２９、３０からの信号が受信できる範囲であれば、冷蔵庫の何処の位置に設置しても良い。
【００４３】
また、第一の冷蔵室扉２５、第二の冷蔵室扉２６、冷凍室扉２７の適宜箇所には、各無線センサ２８、２９、３０に対応してそれぞれの扉の開閉状態を検出する第一から第三の開閉検出手段３１、３２、３３が設置されており、各無線センサ２８、２９、３０との作用によって、それぞれの扉の「開状態」あるいは「閉状態」の信号が作り出される。
【００４４】
その一例を説明する。ここでは、説明の便宜上、第一の冷蔵室２２に設けられた第一の無線センサ２８について説明する。第一の開閉検出手段３１は、第一の冷蔵室扉２５に設けられた磁石４０と、磁石４０の磁力を無線媒体入力信号とする受信手段（ここでは図示せず）、を備え、具体的には、磁力の強弱によって接点が開閉するリードスイッチ、あるいはホールＩＣを受信素子とする周知の電子スイッチ等によって構成される。
【００４５】
なお、第二の冷蔵室２３、冷凍室２４の開閉検出手段３２、３３についても同様の構成からなり、同様の原理で動作するもので、磁石については説明の便宜上同一の符号４０で図示する。
【００４６】
かかる構成の関係から、各無線センサ２８、２９、３０は、各貯蔵室における開口部近辺に配置することが好ましい。
【００４７】
次に、無線センサ２８、２９、３０の構成を、図２の無線センサの制御構成ブロック図で説明する。ここについても、説明の便宜上、第一の冷蔵室２２に設けられた第一の無線センサ２８について説明する。
【００４８】
無線センサ２８は、第一の冷蔵室２２の室内情報である温度、湿度、室内ガス濃度を検出し、電気信号に変換して出力する情報検出手段２８ａと、従来と同様にその出力を入力として冷蔵室２２内の環境状況をデータ化する演算処理部３５と、演算処理部３５からのデータを入力し、所定の信号を形成して送信アンテナ８から情報読取装置３４に送信する無線送信部７を備えた構成としている。これらの制御回路は、周知のマイクロコンピュータを中心とする論理回路等によって具体的に構成することができるものである。
【００４９】
また、無線センサ２８の電源部９は、電池あるいは充電式電池等からなり、従来と同様に演算処理部３５、無線送信部７等の駆動源として電力を供給するが、供給経路には電源遮断手段３６が設けられ、開閉検出手段３１からの扉開閉状態の入力によって、電力の供給と遮断の制御を行なう。
【００５０】
また、無線センサ２８は、開閉検出手段３１を構成する受信手段４１ａを備えており、この受信手段４１ａからの信号によって電源遮断手段３６が通電、遮断制御される。
【００５１】
本実施の形態１においては、受信手段４１ａと電源遮断手段３６を、両者の機能を備えたリードスイッチで構成している。すなわち、周知の如く、リードスイッチは、磁力の強弱に反応して接点がＯＮまたはＯＦＦするもので、受信手段４１ａと電源遮断手段３６の機能を包括して備えている構成である。
【００５２】
したがって、受信手段４１ａと電源遮断手段３６を単一の構造体として無線センサ２８に設けているため、コンパクト化が図れ、無線センサ２８の小型化が可能となるものである。また、前記リードスイッチは、市販品で対応できるため、コスト面で優位に構成できる。
【００５３】
上記については第一の無線センサ２８について説明したが、第二、第三の各無線センサ２９、３０についても同一の構成を備えており、具体的には取付けられる貯蔵室の設定環境、機能に応じて入力情報の種類あるいは数値等が異なるのみで、制御構成は同様の構成要件を備えているものである。
【００５４】
次に、冷蔵庫の各冷蔵室２２、２３及び冷凍室２４の環境状態（温度、湿度、炭酸ガス濃度等）を制御する制御構成を、図３により説明する。
【００５５】
図３において、制御構成は、無線センサ２８、２９、３０により検出され、無線媒体信号として送信アンテナ８から出力された情報を受信アンテナ１４より取込む情報読取装置３４と、情報読取装置３４からの出力信号を入力し、冷凍サイクル３８あるいは冷気循環手段３９の運転を制御する制御手段３７を具備した構成となっている。
【００５６】
情報読取装置３４は、各無線センサ２８、２９、３０からの送信データ内容に基づいて最適な貯蔵室内状態を保つための運転パターンを判断し、制御手段３７へ出力する。また、前記制御手段は、その制御信号内容に基づいて前記貯蔵室（冷蔵室２２、２３および冷凍室２４）が最適な状態となるように冷凍サイクル３８および冷気循環手段３９の運転を制御する。
【００５７】
情報読取装置３４が無線センサ２８、２９、３０から室内情報を読み取ると、次に最適な庫内状態を保つための運転パターンが判断され、制御手段３７に入力される。そして、制御手段３７により、冷凍サイクル３８あるいは冷気循環手段３９の運転が制御され、冷蔵室２２を所定の環境に維持する動作が行なわれる。
【００５８】
さらに、情報読取装置３４は、各無線センサ２８、２９、３０のいずれか一つからの送信を所定時間以上受信しなかった場合、該当する貯蔵室の扉が開放されていると判断し、かかる場合の運転パターンを判断する。この場合における運転内容は、従来周知の運転内容でよく、また本発明の要旨と直接関係しないため、説明を省略する。
【００５９】
以上のように構成された冷蔵庫について、以下その制御動作の内容を説明する。ここでは、説明の便宜上第一の冷蔵室２２を例に説明する。
【００６０】
まず、第一の冷蔵室扉２５が閉じている場合は、図４の（ａ）で示すように信号発生手段である磁石４０が、受信手段４１ａと電源遮断手段３６の両者の機能をそなえたリードスイッチ５０と接近した状態にある。その結果、磁石４０の磁力が矢印Ａで示す如くリードスイッチ５０に作用しているため、第一の開閉検出手段３１は、閉扉状態の信号を電源遮断手段３６に入力する。その結果、電源遮断手段３６は電源供給（通電）状態となり、換言すると、リードスイッチ５０がＯＮ状態であるため、電源部９から演算処理部３５および無線送信部７に電力が供給され、無線センサ２８は動作状態となる。
【００６１】
したがって、無線センサ２８は、図２に示すように情報検出手段２８ａにより第一の冷蔵室２２内の環境情報（温度、湿度、炭酸ガス濃度等）を検出し、その検出結果が演算処理部３５にて所定のデータに形成され、無線送信部７へ出力される。無線送信部７は、送信アンテナ８より冷蔵室２２内の環境情報を電波等の無線通信媒体状態で冷蔵室２２内へ出力する。
【００６２】
無線送信部７の情報出力信号は、受信アンテナ１４より情報読取装置３４へ取込まれ、ここで冷蔵室２２内の環境状況を認識し、必要な制御パターン（冷凍サイクル３８、冷気循環手段３９の動作の必要性等）を判別する。
【００６３】
情報読取装置３４の判別結果は、制御手段３７へ出力され、この制御手段３７によって冷蔵庫の運転制御（冷凍サイクル３８を構成する圧縮機の運転、および冷気循環手段３９を構成する送風ファンの運転等）が行なわれる。
【００６４】
無線センサ２８からの送信動作は、所定時間間隔で断続的に行なわれるもので、単位時間当たりの送信回数を少なくすることにより、電源部９の電力消費が抑制でき、電源部９の長寿命化が図れる。
【００６５】
また、冷蔵室扉２５の閉扉状態において、情報検出手段２８ａによる検出動作を間欠検出動作とすることにより、一層電源部９の電力消費が抑制でき、電源部９の一層の長寿命化が図れる。
【００６６】
次に、第一の冷蔵室扉２５が開いている場合は、図４の（ｂ）で示すように信号発生手段である磁石４０が、受信手段４１ａと電源遮断手段３６の両者の機能を備えたリードスイッチ５０から離れた状態にある。その結果、磁石４０の磁力がリードスイッチ５０に作用しなくなり開閉検出手段３１は、開扉状態の信号を電源遮断手段３６に入力する。
【００６７】
その結果、電源遮断手段３６は遮断（断電）状態となり、換言すると、リードスイッチ５０がＯＦＦ状態となり、電源部９から演算処理部３５および無線送信部７への電力供給が遮断され、無線センサ２８は停止状態となる。
【００６８】
次に、扉が開放された状態においては、所定時間（例えば３０秒）経過しても無線センサ２８からの室内情報の送信がないため、情報読取装置３４では、開扉状態と判断し、制御手段３７へ判断結果の運転パターンを指示する。
【００６９】
その結果、制御手段３７により、第一の冷蔵室扉２５が開扉状態の運転制御パターン（冷凍サイクル３８を構成する圧縮機の停止および冷気循環手段３９を構成する送風ファンの停止等）で冷凍サイクル３８および冷気循環手段３９の運転制御を行なう。
【００７０】
換言すれば、無線センサ２８の動作が停止している時は、前記冷蔵庫は、冷凍サイクル３８と冷気循環手段３９によって開扉状態の運転制御を行なうことなる。
【００７１】
なお、開扉状態で無線センサ２８の動作を停止した理由は、開扉状態では外気の流入や室内雰囲気の流出などが大きく、室内情報の変化が激しいので、例え室内情報を得たとしても適切な運転制御が行なえないからである。
【００７２】
したがって、この場合は室内情報を得ることなく、予め決められた開扉状態で運転することが得策になる。この開扉状態での運転制御内容は、周知の内容でよく、また本発明の要旨と直接関係しないため、説明を省略する。
【００７３】
また、第二の冷蔵室２３、冷凍室２４においても、同様に上述の制御を実施することにより、無線センサ２９、３０の動作を規制することができる。
【００７４】
以上のように、本実施の形態１においては、開閉検出手段３１、３２、３３により開放している貯蔵室の無線センサ２８、２９、３０の動作を停止させるので、長期使用における無線センサ２８、２９、３０のトータルでの動作時間を短くすることとなり、無線センサ２８、２９、３０における電源部９の長寿命化が図れる。その結果、無線センサ２８、２９、３０に要するメンテナンスの手間が省力化でき、冷蔵庫としての付加価値および信頼性を高めることができる。
【００７５】
さらに、無線センサ２８、２９、３０の動作は、各冷蔵室２２、２３および冷凍室２４の閉扉時に限られるため、情報読取装置３４への送信に伴う電波等の無線通信媒体が外部に洩れることがなく、その結果、周辺機器に悪影響を与えることもない。
【００７６】
また、無線センサ２８、２９、３０の動作が停止していることを利用して、情報読取装置３４で開扉状態であると判断することにより、従来の如くハーネス等の有線で制御手段３７に伝送する必要がなくなり、その結果、省線化による品質の向上、製品の組立て工数の削減をそれぞれ図ることができる。
【００７７】
また、開閉検出手段３１、３２、３３による開扉、閉扉状態の検出動作に連動して無線センサ２８、２９、３０の内部における電源部９の演算処理部３５、無線送信部７への給電動作を制御するため、利便性を高めるものである。
【００７８】
さらに、無線センサ２８、２９、３０は、受信手段４１ａと電源遮断手段３６を単一の構造体として無線センサ２８に設けているため、コンパクト化が図れ、無線センサ２８の小型化が可能となるものである。その結果、冷蔵室２２、２３および冷凍室２４に占める設置スペースも削減でき、貯蔵室内空間の物品収納スペースを確保できるものである。
【００７９】
なお、本実施の形態１においては、各無線センサ２８、２９、３０からの送信データ内容に基づいて最適な貯蔵室内状態を保つための運転パターンを、情報読取装置３４で判別するようにしたが、かかる機能を制御手段３７に持たせることも可能であり、いずれに持たせるかは任意に設定すればよい。
【００８０】
また、本実施の形態１においては、開閉検出手段３１、３２、３３を、開扉信号の発生手段としての磁石４０と、これに反応する受信手段４１としてのリードスイッチによって構成したが、同様に磁力を検出して電気信号を出力するホールＩＣ素子を具備し、このホールＩＣ素子を受信手段４１とし、さらに前記ホールＩＣ素子による電気信号でＯＮ動作あるいはＯＦＦ動作するスイッチング回路を電源遮断手段３６とする無接点式の電子スイッチを代替に用いることもできる。
【００８１】
（実施の形態２）
次に、図５により実施の形態２について説明する。本実施の形態２においては、前記開閉検出手段に、光に反応する電子スイッチを適用したものである。
【００８２】
したがって、先の実施の形態１とは、電源遮断手段３６、冷蔵庫の構成、および制御回路構成、回路動作については、先の実施の形態１と同様でよいため、相違しない内容についての説明は省略する。また、本実施の形態２においては、説明の便宜上第一の冷蔵室２２について説明するが、他の冷蔵室２３、冷凍室２４についても同様の構成で適用できることは、先の実施の形態１と同様である。
【００８３】
図５は、第一の冷蔵室が開放された状態を示す冷蔵庫の要部構成図である。
【００８４】
図５において、無線センサ２８は、開閉検出手段３１における受信手段となる照度センサ５１と、増幅回路５２、さらにトランジスタ等を備えた周知の構成からなるスイッチング回路５３、および先の実施の形態１と同様に情報検出手段２８ａ、演算処理部３５、送信アンテナを含む無線送信部７、電源部９を具備している。
【００８５】
さらに詳述すると、照度センサ５１は、光に反応しやすくするために、冷蔵室２２の前面よりに露出して設けられており、周知の如く光を電気信号に変換する素子で、前記光から変換された電気信号は、周知の構成からなる増幅回路５２によって信号増幅される。
【００８６】
また、スイッチング回路５３は、電源部９の演算処理部３５、無線送信部７等への給電を制御するもので、電源遮断手段に相当し、増幅回路５２からの入力信号によって演算処理部３５、無線送信部７等への給電を停止する動作を行なう。
【００８７】
上記構成において、冷蔵室扉２５が閉扉状態にある場合は、外部からの光の侵入がないため、照度センサ５１は電気信号を発生しない。
【００８８】
したがって、増幅回路５２およびスイッチング回路５３は動作しないため、電源部９は、演算処理部３５、無線送信部７等への給電を行ない、冷蔵庫は所定の運転を行なう。
【００８９】
次に、冷蔵庫扉２５を開放した場合、矢印Ｂで示す如く外部の光が冷蔵室２２内に差込むため、照度センサ５１は電気信号を発生する。これにより、増幅回路５２によって増幅された電気信号は、周知の如くスイッチング回路５３の入力信号となり、スイッチング素子（図示せず）を動作させる。
【００９０】
その結果、電源部９の演算処理部３５、無線送信部７等への給電動作が停止され、無線センサ２８は動作が停止する。したがって、無線センサ２８の電力消費が発生せず、電源部９の電力寿命は延長する。
【００９１】
また、冷蔵庫の構成において、周知の庫内灯５４を有する構成であれば、庫内灯５４を信号発生手段として矢印Ｃで示す如く庫内灯５４の照明作用にて照度センサ５１が動作する。その結果、上述と同様の作用効果が期待できる。
【００９２】
上述の如く、本実施の形態２における無線センサ２８においても、先の実施の形態１と同様に冷蔵庫としての利便性、信頼性を損なうことがないとともに、構成も簡略化できる。
【００９３】
さらに、先の実施の形態１においては、磁石４０の磁力に反応させる関係から各無線センサ２８、２９、３０を固定する構成としたが、本実施の形態２では、光に反応させればよいため、特に各無線センサ２８、２９、３０の設置位置を固定する必要がなく、光を検出できる範囲で物品出し入れ作業の弊害にならない位置に設置できるため、利便性を一層高めることができる。
【００９４】
なお、上記各実施の形態１、２においては、貯蔵室内の環境創出手段として、冷凍サイクルおよび冷気循環手段による冷却機能を中心に説明したが、これに限るものではなく、例えば加熱源を環境創出手段とする温蔵庫、あるいは換気装置を環境創出手段とする換気が伴う貯蔵装置、また湿度発生装置を環境創出手段とする湿度管理が伴う貯蔵装置等についても、同様に無線センサで環境状態を検出し、所定の制御を行ない、扉の開閉に伴って無線センサの電源を停止・通電することができるものである。
【産業上の利用可能性】
【００９５】
以上のように、本発明は、家庭用又は業務用冷蔵庫に無線センサを適用する場合に実施できることはもちろん、扉のある物品貯蔵装置等に広く応用できるものである。
【図面の簡単な説明】
【００９６】
【図１】本発明の実施の形態１における無線センサを具備した冷蔵庫の断面図
【図２】同実施の形態１における無線センサの制御構成ブロック図
【図３】同実施の形態１における冷蔵庫の概略制御構成ブロック図
【図４】（ａ）同実施の形態１における冷蔵庫の閉扉時における無線センサの給電状態を示す要部構成図（ｂ）同実施の形態１における冷蔵庫の開扉時における無線センサの給電停止状態を示す要部構成図
【図５】本発明の実施の形態２における冷蔵庫の開扉状態の要部構成図
【図６】従来例を示す無線センサを用いた機器の制御システムのブロック図
【符号の説明】
【００９７】
７    無線送信部
９    電源部
２１  冷蔵庫本体（貯蔵装置本体）
２２  第一の冷蔵室庫
２３  第二の冷蔵室庫
２４  冷凍室
２５  第一の冷蔵室扉
２６  第二の冷蔵室扉
２７  冷凍室扉
２８  第一の無線センサ
２８ａ  情報検出手段
２９  第二の無線センサ
３０  第三の無線センサ
３１  第一の開閉検出手段
３２  第二の開閉検出手段
３３  第三の開閉検出手段
３４  情報読取装置
３５  演算処理部
３６  電源遮断手段
３７  制御手段
３８  冷凍サイクル（環境創出手段）
３９  冷気循環手段（環境創出手段）
４０  磁石（信号発生手段）
４１  受信手段
４１ａ  受信手段
５０  リードスイッチ（受信手段、電源遮断手段）
５１  照度センサ（受信手段）
５３  スイッチング回路（電源遮断手段）
【図１】
2007139355.tif 000003
【図２】
2007139355.tif 000004
【図３】
2007139355.tif 000005
【図４】
2007139355.tif 000006
【図５】
2007139355.tif 000007
【図６】
2007139355.tif 000008